(57)【要約】      （修正有）【課題】扇風機のような広範囲にわたる送風が得られる涼風吹出しとサーキュレータのような撹拌力が得られる強風吹出しとを選択できる送風装置を提供する。【解決手段】前面吸込口１３と上面吹出口１４と前面吹出口１５とを有する筺体１０内に、前面吸込口１３と上面吹出口１４および前面吹出口１５を結ぶ空気通路１６を形成し、前面吸込口１３から吸込んだ空気を空気通路１６に流通させる送風ファン２０を設けた送風装置１であって、前面吹出口１５は上面吹出口１４よりも広い開口に形成されており、空気通路１６に流通された空気を上面吹出口１４または前面吹出口１５のいずれか一方から吹出すように風向を切換える風向切換手段３０を設けた構造となっている。【選択図】図３
2013029260.tif 000002
【特許請求の範囲】
【請求項１】
吸込口と上面に備えた上面吹出口と前面に備えた前面吹出口とを有する筺体内に、前記吸込口と前記上面吹出口および前記前面吹出口を結ぶ空気通路を形成し、前記吸込口から吸込んだ空気を前記空気通路に流通させる送風ファンを設けた送風装置であって、
前記前面吹出口は前記上面吹出口よりも広い開口に形成されており、
前記空気通路に流通された空気を前記上面吹出口または前記前面吹出口のいずれか一方から吹出すように風向を切換える風向切換手段を設けたことを特徴とする送風装置。
【請求項２】
前記風向切換手段は、上下方向に平行に複数の導風板を備え、前記前面吹出口から前記空気通路に収容可能に支持されており、
前記風向切換手段は、前記空気通路内に収容された場合には、前記複数の導風板間から吹出すように風向を切換え、前記空気通路外に引出された場合には、前記上面吹出口から吹出すように風向を切換えることを特徴とする請求項１記載の送風装置。
【請求項３】
前記風向切換手段は、前記空気通路内に収容された場合には、前記複数の導風板のうち、前記送風ファンに近い導風板ほど前記筺体の背面から離れる位置に配置されることを特徴とする請求項２記載の送風装置。
【請求項４】
前記風向切換手段は、前記空気通路内に収容された場合には、前記複数の導風板のうち、前記送風ファンに近い導風板ほど前記前面吹出口よりも前方に突出されることを特徴とする請求項３記載の送風装置。
【発明の詳細な説明】
【技術分野】
【０００１】
本発明は、扇風機のような涼風吹出しとサーキュレータのような強風吹出しとを選択できる送風装置に関する。
【背景技術】
【０００２】
従来から、広範囲で近い距離内で柔らかな風を発生させて人に風を当てることで涼感を得るようにした扇風機や、狭い範囲で遠くまで届く直進性の高い風を発生させて室内の空気を循環するようにしたサーキュレータが知られている。
【０００３】
扇風機の一例として、プロペラファンを正回転させた場合に扇風機として使用でき、プロペラファンを逆回転させた場合にサーキュレータとして使用できる扇風機がある（例えば、特許文献１参照）。しかしながら、この扇風機は、サーキュレータとして使用する場合にプロペラファンを逆回転させるため、発生する風が弱くなり、室内の空気を循環するに足りる十分な撹拌力が得られないという問題点がある。
【０００４】
サーキュレータの一例として、本体ケーシング内に空気を循環させる送風機を備え、本体ケーシングの下面側と上面側に通風孔を設けたサーキュレータがある（例えば、特許文献２参照）。しかしながら、このサーキュレータは、下面側または上面側に設けた通風孔が狭い範囲であるため、空気の十分な撹拌力が得られる送風が可能であるが、扇風機のような広範囲にわたる空気の送風ができず、扇風機として用いるには快適性が得られないという問題点がある。
【先行技術文献】
【特許文献】
【０００５】
【特許文献１】実開平７−３２４３１号公報
【特許文献２】特開２００２−６１９０９号公報
【発明の概要】
【発明が解決しようとする課題】
【０００６】
本発明は上記問題点に鑑み、扇風機のような広範囲にわたる送風が得られる涼風吹出しとサーキュレータのような撹拌力が得られる強風吹出しとを選択できる送風装置を提供することを目的とする。
【課題を解決するための手段】
【０００７】
上記課題を解決するため、本発明の送風装置は、吸込口と上面に備えた上面吹出口と前面に備えた前面吹出口とを有する筺体内に、吸込口と上面吹出口および前面吹出口を結ぶ空気通路を形成し、吸込口から吸込んだ空気を空気通路に流通させる送風ファンを設けている。この送風装置は、前面吹出口は上面吹出口よりも広い開口に形成されており、空気通路に流通された空気を上面吹出口または前面吹出口のいずれか一方から吹出すように風向を切換える風向切換手段を設けた構造になっている。
【発明の効果】
【０００８】
本発明の送風装置によれば、風向切換手段により上面吹出口または前面吹出口のいずれか一方から吹出すように風向を切換えることで、扇風機のような広範囲にわたる送風が得られる涼風吹出しとサーキュレータのような撹拌力が得られる強風吹出しとを選択できる送風装置を提供することができる。
【図面の簡単な説明】
【０００９】
【図１】本発明による送風装置の正面図である。
【図２】本発明による送風装置の内部を示す前面断面図である。
【図３】図１のＡ−Ａ断面図であり、風向切換手段が空気通路内に収容された場合の説明図である。
【図４】図１のＡ−Ａ断面図であり、風向切換手段が空気通路外に引出された場合の説明図である。
【図５】風向切換手段が空気通路内に収容された送風装置を部屋の中で使用したときの吹出す風の流れを示す説明図である。
【図６】風向切換手段が空気通路外に引出された送風装置を部屋の中で使用したときの吹出す風の流れを示す説明図である。
【発明を実施するための形態】
【００１０】
以下、本発明の実施形態を添付図面に基づき詳細に説明する。図１乃至図４は、本実施形態における送風装置である。図１および図２に示すように、この送風装置１は、縦長中空状の筺体１０と、筺体１０内の下部に備えた送風ファン２０およびファン制御部４０と、筺体１０の上部に備えた風向切換手段３０とが設けられている。
【００１１】
筺体１０は、前面下部に備えた前面吸込口１３と上面に備えた上面吹出口１４と前面上部に備えた前面吹出口１５とを有している。筺体１０内には、前面吸込口１３と上面吹出口１４および前面吹出口１４を結ぶ空気通路１６が形成され、前面吸込口１３から吸込んだ空気を空気通路１６に流通させる送風ファン２０が設けられている。主に、筺体１０は、導風ダクト部１１と、送風ファン２０とファン制御部４０とを収容した収容部１２とに分かれており、前面吸込口１３は収容部１２に設けられ、上面吹出口１４および前面吹出口１５は導風ダクト部１１に設けられている。なお、吸込口は、収容部１２の側面や背面に設けられていてもよい。
【００１２】
導風ダクト部１１は、上面に上面吹出口１４を備えた筒形状になっており、前面吹出口１５は上面吹出口１４よりも広い開口に形成されている。導風ダクト部１１に形成された上面吹出口１４の前端部には、一対のストッパー受部１７が形成されている。ストッパー受部１７は後述する風向切換手段３０の前方への回転範囲を規制するようになっている。
【００１３】
送風ファン２０は、図２および図３に示すように、吸込部２２と吹出部２３とを有するファンケーシング２１内に、シロッコファン２４と、シロッコファン２４に連結されたファンモータ２５とを備えている。送風ファン２０は、ファンモータ２５の回転によって、収容部１２に設けられた前面吸込口１３に対向する吸込部２２より吸込んだ空気を吹出部２３から導風ダクト部１１による空気通路１６に流通させるようになっている。
【００１４】
風向切換手段３０は、図１乃至図４に示すように、一対の左側板３１、右側板３２と複数の導風板３３とを備えている。左側板３１、右側板３２はそれぞれ平行四辺形状に形成されている。複数の導風板３３は、左側板３１と右側板３２とを連結するように上下方向に平行に一定間隔で配置されている。複数の導風板３３のうち、最上方の導風板３３には、上面側角部であって筺体１０の背面側に一対のストッパー片３５が形成されている。なお、複数の導風板３３は、必ずしも上下方向に一定間隔でなくても良く、平行に配置されていればよい。
【００１５】
風向切換手段３０は、図３および図４に示すように、左側板３１および右側板３２の下端部の筺体１０の前面側に回転軸３４が形成され、回転軸３４が筺体１０に支持されている。風向切換手段３０は、手動または図示しない駆動モータによって回転軸３４を支点として前後方向に回転することで、前面吹出口１５から空気通路１６に収容されたり、空気通路１６から引出されたりするため、空気通路１６に流通された空気を上面吹出口１４または前面吹出口１５のいずれか一方から吹出すように風向を切換えることができる。
【００１６】
次に、風向切換手段３０が空気通路１６に収容された場合の風の流れについて図３を用いて説明する。風向切換手段３０が空気通路１６に収容されると、複数の導風板３３のうち、最上方の導風板３３が筺体１０の背面に当接する位置に配置され、その他の導風板３３は、送風ファン２０に近いほど筺体１０の背面から離れる位置に配置される。
【００１７】
このような各導風板３３の配置状態で、ファン制御部４０の指令により送風ファン２０のファンモータ２５を駆動してシロッコファン２４を回転させると、送風装置１の前方の空気が黒矢印のように前面吸込口１３から吸込まれ、送風ファン２０の吹出部２３から空気通路１６に流通される。空気通路１６に流通された空気は、風向切換手段３０に備える各導風板３３に当たって、上方に向いて流れていた空気が前方に吹出される空気に偏向される。この結果、送風装置１では、前面吸込口１３から吸込まれた空気を各導風板３３間から黒矢印のように筺体１０の前方に吹出すことができる。
【００１８】
次に、風向切換手段３０が空気通路１６から引出された場合の風の流れについて図４を用いて説明する。風向切換手段３０が空気通路１６から引出されると、複数の導風板３３のうち、最上方の導風板３３に形成された一対のストッパー片３５が、一対のストッパー受部１７に当接され、各導風板３３が前面吹出口１５よりも前方に配置された状態で前方への回転が規制される。
【００１９】
このような各導風板３３の配置状態で、ファン制御部４０の指令により送風ファン２０のファンモータ２５を駆動してシロッコファン２４を回転させると、送風装置１の前方の空気が黒矢印のように前面吸込口１３から吸込まれ、送風ファン２０の吹出部２３から空気通路１６に流通されて上面吹出口１４まで導風される。この結果、送風装置１では、前面吸込口１３から吸込まれた空気を上面吹出口１４から黒矢印のように筺体１０の上方に吹出すことができる。
【００２０】
次に、風向切換手段３０の具体的な形状およびその作用について図３を用いて説明する。風向切換手段３０は、各導風板３３の奥行方向の長さｂが同一であり、左側板３１および右側板３２の奥行方向の長さａが各導風板３３の奥行方向の長さｂと等しく、左側板３１および右側板３２の高さｄが導風ダクト部１１の高さｅと等しくなっている。風向切換手段３０が空気通路１６に収容された場合には、複数の導風板３３のうち、最上方の導風板３３が筺体１０の背面に当接する位置に配置され、その他の導風板３３は、送風ファン２０に近いほど筺体１０の背面から離れる位置に配置されて前面吹出口１５よりも前方に突出される。この結果、風向切換手段３０から前方に吹出す風として、吹出し風の高さ方向に一様な風を確保することができる。
【００２１】
また、風向切換手段３０は、左側板３１および右側板３２の奥行方向の長さａと、各導風板３３の奥行方向の長さｂが、上面吹出口１４の奥行方向の長さｃと等しくなっている。このため、左側板３１および右側板３２に形成された回転軸３４の回転による風向切換手段３０の回転範囲が小さく、風向切換手段３０が小型化できる。さらに、風向切換手段３０は、各導風板３３の奥行方向の長さｂと、上面吹出口１４の奥行方向の長さｃが同一であるので、風向切換手段３０が空気通路１６内に収容された場合、導風板３３の前方への突出を最小限に抑えて上面吹出口１４を塞ぐことができる。
【００２２】
次に、風向切換手段３０が空気通路１６に収容された場合の空気通路１６を流れる空気について図３を用いて具体的に説明する。送風ファン２０から空気通路１６に流通される空気は、前面吹出口１４から空気通路１６に収容された各導風板３３の奥行方向の長さに応じて分配され、前面吹出口１５全体から扇風機のような広範囲にわたる風が吹出されることで、送風装置１の前方に柔らかな風が得られるようになっている。
【００２３】
空気通路１６に流通される空気は、各導風板３３の間から筺体１０の前方に吹出す際に送風抵抗を受けることになる。この送風抵抗は、導風ダクト部１１による管路抵抗と、導風ダクト部１１と各導風板３３による曲げ抵抗と、各導風板３３による管路抵抗の合成抵抗となるが、それぞれの管路抵抗は曲げ抵抗と比較して無視できるほど小さくなる。そして、筺体１０の背面側に対向する左側板３１および右側板３２の斜辺Ｓ上に、各導風板３３の端部が配置されている。このため、各導風板３３の間から前方に吹出す風は、概ね一様な風速分布となり、偏りなく広範囲に吹出すことができる。
【００２４】
また、空気通路１６に流通される空気は、送風ファン２０がシロッコファン２４を用いた遠心送風機であるため、送風ファン２０を図２に示す前面から見た場合、吹出口２３の左側に偏った風の分布になるが、左側板３１側にある導風ダクト部１１の側壁によって送風抵抗が働くため、空気流路１６内で左から右に空気の移動が生じて左側に偏った風の分布が改善される。このため、各導風板３３の間から前方に吹出す風は、概ね一様な風の分布となり、前面吹出口１５から横幅のある風を吹出すことができる。
【００２５】
次に、風向切換手段３０が空気通路１６から引出された場合の空気通路１６を流れる空気について図４を用いて具体的に説明する。空気通路１６に流通される空気は、風向切換手段３０で遮られることなく上面吹出口１４まで連通するため、縦長の導風ダクト部１１内を上昇する気流となり、上面吹出口１４からサーキュレータのような直進性の高い風が吹出されることで、送風装置１の上方に強い風が得られるようになっている。
【００２６】
なお、空気通路１６に流通される空気は、上面吹出口１４から筺体１０の上方に吹出す際に送風抵抗を受けるが、風向切換手段３０が空気通路１６に収容された場合とは異なり、導風ダクト部１１と各導風板３３による曲げ抵抗を受けることなく導風ダクト部１１による管路抵抗のみになっているので、送風抵抗は十分小さくなる。このため、上面吹出口１４から上方に吹出す風は、各導風板３３の間から前方に漏れる風が殆んどなく、上方に損失なく吹出すことができる。
【００２７】
また、空気通路１６に流通される空気は、風向切換手段３０が空気通路１６に収容された場合と同様に、左側板３１側にある導風ダクト部１１の側壁によって送風抵抗が働くため、上面吹出口１４から上方に吹出す風は、概ね一様な風の分布となる。
【００２８】
ここで、前面吹出口１５の開口は、上面吹出口１４の開口より広く形成されている。従って、吹出部２３から流通された風は、前面吹出口１５からは扇風機のような広範囲にわたる涼風として、上面吹出口１４からはサーキュレータのような撹拌力が得られる強風として吹出される。
【００２９】
次に、風向切換手段３０が空気通路１６に収容された状態の送風装置１を部屋Ｒの中で使用したときの吹出す風の流れについて図５を用いて説明する。送風装置１を壁際に配置し、前面吸込口１３から部屋Ｒの中の空気を白抜き矢印のように吸込んで、風向切換手段３０から白抜き矢印のように部屋Ｒの前方へ吹出す風になる。このため、床面Ｆに平行に、筺体１０の前面吹出口１５の高さと同じに、高さ方向に幅のある風が吹出される。
【００３０】
次に、風向切換手段３０が空気通路１６から引出された状態の送風装置１を部屋Ｒの中で使用したときの吹出す風の流れについて図６を用いて説明する。送風装置１を壁際に空気調和機Ａと対向するように配置し、前面下部に備えた前面吸込口１３から部屋Ｒの中の空気を白抜き矢印のように吸込んで、上面に備えた上面吹出口１４から白抜き矢印のように部屋Ｒの上方へ吹出す風になる。このため、上方へ吹出された風は、白抜き矢印のように、壁Ｗに沿った上昇気流となり、その後、天井面Ｃ、壁Ｗ、床面Ｆに沿って流れ、再び前面吸込口１３から吸込まれて循環し部屋Ｒの空気を効果的に撹拌することができる。送風装置１を空気調和機Ａによる部屋Ｒの冷暖房時に使用すると、床面Ｆ付近に溜まり易い冷たい空気と、天井Ｃ付近に溜まり易い暖かい空気がそれぞれ撹拌されるので、部屋Ｒ内の空気の温度分布を一様にして過度な冷暖房を防ぎ、快適で省エネ性の高い空調を実現することができる。また、送風装置１を空気調和機Ａによる部屋Ｒの冷暖房時に使用するときには、部屋Ｒの上方へ吹出す風になるため、吹出し風が人に直接当たって不快感を与えないようにすることができる。
【００３１】
以上説明してきた本発明の送風装置１によれば、前面吹出口１５は上面吹出口１４よりも広い開口に形成され、空気通路１６に流通された空気を上面吹出口１４または前面吹出口１５のいずれか一方から吹出すように風向を切換える風向切換手段３０を設けた構造になっているため、扇風機のような広範囲にわたる送風が得られる涼風吹出しとサーキュレータのような撹拌力が得られる強風吹出しとを選択できる送風装置１を提供することができる。
【００３２】
なお、本実施形態では、左側板３１および右側板３２に回転軸３４を形成することで、風向切換手段３０が前面吹出口１５から空気通路１６に収容可能に支持されるようにしたが、本発明はこれに限らず、風向切換手段３０として、左側板３１および右側板３２にスライド部材を形成することで、前面吹出口１５から空気通路１６に収容可能に支持されてもよく、また、上面吹出口１４と前面吹出口１５のそれぞれに複数の連動するルーバを形成することで、上面吹出口１４または前面吹出口１５のいずれか一方の開口をルーバにより閉じてもよい。
【符号の説明】
【００３３】
１  送風装置
１０  筺体
１１  導風ダクト部
１２  収容部
１３  前面吸込口
１４  上面吹出口
１５  前面吹出口
１６  空気通路
１７  ストッパー受部
２０  送風ファン
２１  ファンケース
２２  吸込部
２３  吹出部
２４  シロッコファン
２５  ファンモータ
３０  風向切換手段
３１  左側板
３２  右側板
３３  導風板
３４  回転軸
３５  ストッパー片
４０  ファン制御部
【図１】
2013029260.tif 000003
【図２】
2013029260.tif 000004
【図３】
2013029260.tif 000005
【図４】
2013029260.tif 000006
【図５】
2013029260.tif 000007
【図６】
2013029260.tif 000008